(57)【要約】【課題】ワンセグ放送受信機１０では、アンテナ１１のＲＦ信号はＬＮＡ１２により増幅されてからチューナ部１６へ入力される。ＬＮＡ１２は、テレビ塔近くのように、放送電波の強電界時では、制御端子２３からの給電を断たれて停止状態にされる。ワンセグ放送の出力に支障を生じることなく、ＬＮＡ１２の節電を図るとともに、停止状態から作動状態へのＬＮＡ１２の切り替わり直後の処理エラーの原因になるＬＮＡ１２の出力レベルのオーバシュート分の抑制を図る。【解決手段】コントロール部１７は、チューナ部１６からＡＧＣデータ値と共にＣ／Ｎ値に係る信号を入力される。コントロール部１７は、ＡＧＣデータ値＞ＢかつＣ／Ｎ値≦Ｃになった時に、ＬＮＡ１２が停止状態にある場合には、レギュレータ２２への制御信号を切り替えて、ＬＮＡ１２を作動状態へ切り替える。【選択図】図１
2008109533.tif 000002
【特許請求の範囲】
【請求項１】
アンテナからのＲＦ信号を増幅する低ノイズ増幅器、
選択ＲＦ信号に係る信号レベルを検出する信号レベル検出手段、
前記選択ＲＦ信号に係るＣ／Ｎ値を検出するＣ／Ｎ値検出手段、及び
選択ＲＦ信号に係る信号レベルが第１の信号レベル用閾値以下でかつ選択ＲＦ信号に係るＣ／Ｎ値が第１のＣ／Ｎ値用閾値以下になると、前記低ノイズ増幅器が作動停止状態であるならば、前記低ノイズ増幅器を作動状態へ切り替える作動制御手段、
を備えることを特徴とするデジタル放送受信機。
【請求項２】
前記作動制御手段は、ＲＦ信号レベル換算で選択ＲＦ信号に係る信号レベルが前記第１の信号レベル用閾値より大きい第２の信号レベル用閾値以上になると、選択ＲＦ信号に係るＣ／Ｎ値に関係なく、前記低ノイズ増幅器が作動状態であるならば、前記低ノイズ増幅器を作動停止状態へ切り替えることを特徴とする請求項１記載のデジタル放送受信機。
【請求項３】
アンテナからのＲＦ信号を増幅する低ノイズ増幅器の制御方法において、
選択ＲＦ信号に係る信号レベルを検出するステップ、
前記選択ＲＦ信号に係るＣ／Ｎ値を検出するステップ、及び
選択ＲＦ信号に係る信号レベルが第１の信号レベル用閾値以下でかつ選択ＲＦ信号に係るＣ／Ｎ値が第１のＣ／Ｎ値用閾値以下になると、前記低ノイズ増幅器が作動停止状態であるならば、前記低ノイズ増幅器を作動状態へ切り替えるステップ、
を備えることを特徴とする低ノイズ増幅器用制御方法。
【発明の詳細な説明】
【技術分野】
【０００１】
本発明は、例えばワンセグ放送を受信するデジタル放送受信機及び制御方法に関し、詳しくは低ノイズ増幅器（「ブースタ」とも呼ばれる。）を装備するデジタル放送受信機及び制御方法に関するものである。
【背景技術】
【０００２】
特許文献１は低ノイズ増幅器を装備する受信装置を開示する。該受信装置では、低ノイズ増幅器による受信信号増幅に因る中間周波増幅器の飽和を防止するために、受信入力電界レベルを監視し、受信入力電界レベルが高い場合には、低ノイズ増幅器への給電を断って、低ノイズ増幅器の作動を停止させ、受信入力電界レベルが低い場合には、低ノイズ増幅器へ給電して、低ノイズ増幅器を作動させている（特許文献１の第２頁右上欄２番目の段落）。
【０００３】
特許文献２は、アンテナで捕捉したテレビジョン放送電波のＲＦ信号を増幅するブースタを装備するテレビジョン装置を開示する。該テレビジョン装置では、混変調防止等に対処するため、ブースタの作動をＡＧＣレベルＶAGCに基づき制御しているとともに（特許文献２の図２のフローチャート）、ブースタをオフ（停止状態）からオン（作動状態）へ切り替える閾値ＶSL１と、オンからオフへ切り替える閾値ＶSL２とについて、ＶSL１＞ＶSL２に設定する（特許文献２の図３及び図４）。
【特許文献１】特開昭５４−８４４１１号公報
【特許文献２】特開２００５−１７６１６７号公報
【発明の開示】
【発明が解決しようとする課題】
【０００４】
携帯式デジタル放送受信機の節電のためには、低ノイズ増幅器の作動時間を、支障のない範囲でなるべく短くすることが望ましい。また、低ノイズ増幅器をオフからオンへ切り替えた直後は、低ノイズ増幅器の出力の一気的な上昇とＡＧＣ制御の遅れとのために、チューナ部で信号の飽和が起こり易く、このことがチューナ部のデジタル信号処理エラーに繋がり、この対策が望まれる。
【０００５】
特許文献１，２の受信装置は、ＲＦ信号の信号レベルのみで低ノイズ増幅器の作動及び停止を制御するので、低ノイズ増幅器の停止時間を十分に長くできず、節電が不十分である。特許文献１，２は、また、低ノイズ増幅器を停止状態から作動状態へ切り替える直後の低ノイズ増幅器の大幅な出力上昇に伴う処理エラーへの対策についてなんら開示及び示唆していない。
【０００６】
本発明の目的は、低ノイズ増幅器の有効な節電を図るとともに、低ノイズ増幅器を停止状態から作動状態へ切り替えた直後の低ノイズ増幅器の大幅な出力上昇に起因する信号処理エラーに有効に対処するデジタル放送受信機及び制御方法を提供することである。
【課題を解決するための手段】
【０００７】
本発明は、受信電波の強電界地域では、ＲＦ信号の信号レベルが所定の閾値よりも低くても、該ＲＦ信号のＣ／Ｎ値が適当に確保されていれば、チューナにおける信号処理に支障のないことに着目する。また、ＲＦ信号の信号レベルが所定の閾値以下になっても、ＲＦ信号のＣ／Ｎ値が、チューナにおける処理に支障が生じる限度まで、低ノイズ増幅器を停止状態から作動状態へ切替える時期を引き延ばせば、ＲＦ信号の信号レベルは所定の閾値より適当に小さい値に低下しており、この低いレベルにおいて、低ノイズ増幅器を停止状態から作動状態へ切替えても、切替直後の低ノイズ増幅器の上昇した出力レベルは適当に抑制されたものになることに着目する。本発明によれば、低ノイズ増幅器の停止状態から作動状態への切替は、選択ＲＦ信号に係る信号レベルが第１の信号レベル用閾値以下でかつ選択ＲＦ信号に係るＣ／Ｎ値が第１のＣ／Ｎ値用閾値以下になる時に行う。
【０００８】
すなわち、本発明のデジタル放送受信機は次のものを備えている。
アンテナからのＲＦ信号を増幅する低ノイズ増幅器、
選択ＲＦ信号に係る信号レベルを検出する信号レベル検出手段、
選択ＲＦ信号に係るＣ／Ｎ値を検出するＣ／Ｎ値検出手段、及び
選択ＲＦ信号に係る信号レベルが第１の信号レベル用閾値以下でかつ選択ＲＦ信号に係るＣ／Ｎ値が第１のＣ／Ｎ値用閾値以下になると、低ノイズ増幅器が作動停止状態であるならば、低ノイズ増幅器を作動状態へ切り替える作動制御手段。
【０００９】
また、本発明の制御方法は、アンテナからのＲＦ信号を増幅する低ノイズ増幅器に対し、次のステップを実行する。
選択ＲＦ信号に係る信号レベルを検出するステップ、
選択ＲＦ信号に係るＣ／Ｎ値を検出するステップ、及び
選択ＲＦ信号に係る信号レベルが第１の信号レベル用閾値以下でかつ選択ＲＦ信号に係るＣ／Ｎ値が第１のＣ／Ｎ値用閾値以下になると、低ノイズ増幅器が作動停止状態であるならば、低ノイズ増幅器を作動状態へ切り替えるステップ。
【発明の効果】
【００１０】
本発明によれば、低ノイズ増幅器の停止状態から作動状態への切替は、デジタル放送受信機において出力のために選択している選択ＲＦ信号に係る信号レベルが第１の信号レベル用閾値以下となっても直ちに行わず、さらに、選択ＲＦ信号に係るＣ／Ｎ値が第１のＣ／Ｎ値用閾値以下になるまで待ってから、行われる。結果、低ノイズ増幅器の停止時間を、チューナにおける処理に支障を与えることなく増大させて、低ノイズ増幅器の作動時間を減少させることかできる。また、低ノイズ増幅器の停止状態から作動状態への切替が行われる時の選択ＲＦ信号に係る信号レベルは第１の信号レベル用閾値より適当に低下しているので、該切替直後の低ノイズ増幅器出力レベルのオーバシュート分は抑えられ、信号処理エラーを抑制することができる。
【発明を実施するための最良の形態】
【００１１】
図１はワンセグ放送受信機１０の概略構成図である。該ワンセグ放送受信機１０は、主に車両等の移動体に装備されるものであり、表示部（図示せず）等については既存のテレビジョン装置やカーナビゲーション装置等のディスプレイを利用する。ワンセグ放送受信機１０の現在地がそのサービスエリアに属している１以上のワンセグ放送局からのワンセグ放送の電波はアンテナ１１に捕捉され、各ワンセグ放送のＲＦ信号はアンテナ１１からＬＮＡ（Low Noise Amplifier：低ノイズ増幅器）１２へ送られる。ＬＮＡ１２は、アンテナ１１に十分に近い位置に設けられ、同軸ケーブル２０を介して受信機本体１５と接続されている。ＬＮＡ１２は、同軸ケーブル２０を介して給電され、給電中のみ作動状態になる。ＬＮＡ１２は、作動中は、アンテナ１１からのＲＦ信号を増幅して、同軸ケーブル２０へ出力し、作動停止中は、アンテナ１１からのＲＦ信号を増幅することなく、そのまま、同軸ケーブル２０へ出力する。
【００１２】
受信機本体１５は、チューナ部１６、コントロール部１７及びＬＮＡ電源回路部１８を備えている。チューナ部１６は、同軸ケーブル２０を介してＬＮＡ１２からの１以上のＲＦ信号を入力され、それらのＲＦ信号の内、ユーザから指示されたワンセグ放送に係る周波数のＲＦ信号を選択し、それを復調、復号して、デジタル信号として出力する。コントロール部１７は、それらデジタル信号から画像及び音声の信号を生成して、図示していない表示部及びイヤホン端子等へ、それぞれの信号を出力するようになっている。チューナ部１６は、ＡＧＣ（Auto Gain Control：図示せず）を装備し、ユーザが選択したワンセグ放送のＲＦ信号としての選択ＲＦ信号及びそのＩＦ信号用の各増幅器（図示せず）の利得をＡＧＣレベルに基づき増幅する。選択ＲＦ信号及びそのＩＦ信号の各増幅器の利得は、ＡＧＣレベルが高くなるに連れて、増大する。なお、ＡＧＣレベルは、選択ＲＦ信号のレベルと高低が逆の関係にあり、すなわち、ＡＧＣレベルは、選択ＲＦ信号のレベルが低いときほど、逆に上昇する。
【００１３】
チューナ部１６は、選択ＲＦ信号に係る信号レベル（現在地における選局ワンセグ放送の電波の電界強度に対応する。）や該選択ＲＦ信号に係るＣ／Ｎ値等の情報を数値データで出力することが可能となっている。コントロール部１７は、それら数値データをチューナ部１６から受けて、これら数値データに基づき制御信号を生成して、該制御信号をＬＮＡ電源回路部１８のレギュレータ２２の制御端子２３へ送る。該制御信号は、高レベル（Ｈｉｇｈ）と低レベル（Ｌｏｗ）とから成る信号である。
【００１４】
ＬＮＡ電源回路部１８はレギュレータ２２を含み、レギュレータ２２は、その制御端子２３へ高レベルの制御信号を受けている期間では、同軸ケーブル２０へＬＮＡ１２の作動のための電流を供給し、また、その制御端子２３へ低レベルの制御信号を受けている期間では、同軸ケーブル２０へのＬＮＡ１２の作動のための電流供給を停止する。
【００１５】
図２は選択ＲＦ信号のＡＧＣデータ値及びＣ／Ｎ値とＬＮＡ１２の電源のオン、オフとの関係を示している。ＡＧＣデータ値とはコントロール部１７がチューナ部１６から受け取る、ＲＦ信号用ＡＧＣレベルに係るデータである。チューナ部１６におけるＡＧＣには、選択ＲＦ信号を増幅する増幅器の利得を制御するＡＧＣと、該選択ＲＦ信号のＩＦ信号を増幅する増幅器の利得を制御するＡＧＣとの２種類があるが、図２に示したＡＧＣデータは、前者（ＲＦ信号用増幅器）のＡＧＣに関するものである。
【００１６】
図２において、「不問」とはＡＧＣデータ値又はＣ／Ｎ値に関して任意の値を意味する。また、ＬＮＡ１２の電源がオン及びオフとは、レギュレータ２２から同軸ケーブル２０への給電が行われていること及び行われていないことを意味する。
【００１７】
ワンセグ放送受信機１０の初期状態、すなわちワンセグ放送受信機１０の電源投入時（図２の第１行）では、ＬＮＡ１２の電源は、ＡＧＣレベル及びＣ／Ｎ値に関係なく、オンとされる。これにより、ＬＮＡ１２は作動状態となり、この作動状態は、ＡＧＣレベル及びＣ／Ｎ値が図２の第２行の状態になるまで、継続する。
【００１８】
図２の第２行の状態が出現すると、すなわち、ＲＦ信号のＡＧＣデータ値がＡより小さくなると（図２の第２行）、ＬＮＡ１２の電源は、Ｃ／Ｎ値に関係なく、オンからオフへ切り替えられて、ＬＮＡ１２は作動状態から停止状態へ切替えられる。以降、ＬＮＡ１２の停止状態は、図２の第４行の状態が出現するまで、継続する。
【００１９】
図２の第４行の状態が出現すると、すなわち、ＲＦ信号のＡＧＣデータ値がＢより大きくなり、かつＣ／Ｎ値がＣ以下になると、ＬＮＡ１２の電源はオフからオンへ切替えられ、ＬＮＡ１２は停止状態から作動状態へ切替わる。以降、ＬＮＡ１２の作動状態は、ワンセグ放送受信機１０の電源が切になるか、図２の第２行の状態が出現するまで、継続する。
【００２０】
図２の第３行の状態では、すなわち、ＡＧＣデータ値がＡ〜Ｂの範囲にある場合には、ＬＮＡ１２の電源は、Ｃ／Ｎ値に関係なく、直前の状態であるオン又はオフを維持する。なお、ＡＧＣデータ値Ａ及びＢにはＡ＜Ｂという関係がある。
【００２１】
図３はＲＦ信号のＡＧＣデータ値及びＣ／Ｎ値の変化例に対するＬＮＡ１２の電源のオン、オフの変化を示している。ＬＮＡ１２の電源のオン、オフは、制御信号、すなわちコントロール部１７からレギュレータ２２の制御端子２３へ送られる制御信号の高レベル／低レベル（Ｈｉｇｈ／Ｌｏｗ）に対応する。
【００２２】
時刻ｔ１まではＬＮＡ１２の電源はオンになっている。時刻ｔ１において、ＡＧＣデータ値＜Ａになるや、ＬＮＡ１２の電源は直ちにオフになる。ＡＧＣデータ値＜Ａのような事態は、ワンセグ放送受信機１０がテレビ塔等のワンセグ放送の電波発信源に非常に接近した場合に生じる。ＬＮＡ１２の電源オフへの切替わりに伴い、チューナ部１６への入力ＲＦ信号のレベルは一気に下降するが、選択中のワンセグ放送電波の電界強度は十分にあるので、チューナ部１６における復調及び復号処理に支障は生じない。また、この際、ＡＧＣデータ値は一気に上昇するが、ＡＧＣデータ値＜Ｂに収まるように、ＡＧＣデータ値に係る閾値Ａが設定されている。
【００２３】
時刻ｔ２において、ＡＧＣデータ値＞Ｂとなる。しかし、Ｃ／Ｎ値＞Ｃであるので、ＬＮＡ１２の電源はなおもオフに維持される。Ｃ／Ｎ値＞Ｃが確保されるので、ＬＮＡ１２におけるＲＦ信号の増幅がなくても、チューナ部１６及びコントロール部１７は、それへの入力ＲＦ信号を支障なく復調及び復号処理して、選択中のワンセグ放送の映像及び音声を出力できる。
【００２４】
時刻ｔ３において、ＡＧＣデータ値＞ＢかつＣ／Ｎ値≦Ｃとなり、ＬＮＡ１２の電源はオフからオンへ切替わる。これにより、チューナ部１６は、ＬＮＡ１２から増幅されたＲＦ信号を入力される。ＬＮＡ１２が停止状態から作動状態へ切替わった直後は、ＬＮＡ１２の出力が一気に増大するとともに、そのオーバシュート分がチューナ部１６の上限を超える恐れが高まるが、該ワンセグ放送受信機１０では、時刻ｔ２においてＡＧＣデータ値＞Ｂとなった後、Ｃ／Ｎ値≦Ｃになるまで、ＬＮＡ１２のオフからオンへの切替が引き延ばされることになる。したがって、時刻ｔ３では、ＬＮＡ１２へ入力するＲＦ信号のレベルは、ＡＧＣデータ値＝Ｂに対応するレベルよりも適当に低下したものとなっているので、ＬＮＡ１２の電源がオンへ切り替わった直後、ＬＮＡ１２の出力のオーバシュート分は抑制され、ＬＮＡ１２の出力がチューナ部１６の上限を超えるのを回避される。こうして、チューナ部１６における信号処理不能や誤動作を有効に防止できる。
【００２５】
時刻ｔ４（及び時刻ｔ７）では、時刻ｔ１と同様に、ＡＧＣデータ値＜Ａになり、ＬＮＡ１２の電源はオンからオフへ切り替わる。この際、ＬＮＡ１２によるＲＦ信号の増幅が止まるだけであるので、ＬＮＡ１２の出力レベルのアンダーシュート分は極めて小さく、切替わり直後のチューナ部１６における信号処理不能や誤動作を心配する必要はない。
【００２６】
時刻ｔ５，ｔ６では、先の時刻ｔ５においてＣ／Ｎ値≦Ｃとなり、後の時刻ｔ６において、ＡＧＣデータ値＞Ｂとなっている。この場合は、ＬＮＡ１２は、時刻ｔ５でオフからオンへ切り替わらず、ＡＧＣデータ値＞ＢかつＣ／Ｎ値≦Ｃとなった時刻ｔ６において切り替わり、チューナ部１６への入力ＲＦ信号の信号レベル低下に伴う処理エラー発生を未然に防止する。なお、ＡＧＣレベルの閾値をＣより適当に小さい値に設定すれば、ＡＧＣデータ値が該閾値へ先に上昇してから、Ｃ／Ｎ値≦Ｃとなるように、仕向けることができる。なお、図３のＣ／Ｎ値のＤは、Ｃより大きい所定の値として定義している。
【００２７】
図４は別のワンセグ放送受信機２６の構成図である。ワンセグ放送受信機２６において、ワンセグ放送受信機１０（図１）の素子と共通する素子は同符号で指示して、それらの説明は省略し、ワンセグ放送受信機１０との相違点を述べる。レギュレータ２２によっては、ワンセグ放送受信機２６のように、制御端子２３（図１）を装備していない場合がある。ワンセグ放送受信機２６は、制御端子２３を装備しないレギュレータ２２に対処して、ＬＮＡ１２を制御する。すなわち、ワンセグ放送受信機２６では、スイッチ回路２８が追加され、コントロール部１７からの高レベル／低レベルの制御信号はスイッチ回路２８へ送られるとともに、レギュレータ２２は、ワンセグ放送受信機１０の電源投入中、常時、ＬＮＡ１２の作動用給電電流を出力している。
【００２８】
スイッチ回路２８は、コントロール部１７からの制御信号に基づきレギュレータ２２の出力と同軸ケーブル２０との接続を制御する。スイッチ回路２８は、コントロール部１７から制御信号が高レベルである期間では、同軸ケーブル２０とレギュレータ２２とを接続し、これにより、レギュレータ２２から同軸ケーブル２０への給電が行われ、ＬＮＡ１２は作動状態になる。また、スイッチ回路２８は、コントロール部１７から制御信号が低レベルである期間では、レギュレータ２２と同軸ケーブル２０との接続を断ち、これにより、レギュレータ２２から同軸ケーブル２０への給電が中止され、ＬＮＡ１２は停止状態になる。
【００２９】
本発明のデジタル放送受信機とその具体例としてのワンセグ放送受信機１０，２６との関係を説明する。
【００３０】
本発明のデジタル放送受信機は、低ノイズ増幅器，信号レベル検出手段、Ｃ／Ｎ値検出手段及び作動制御手段を含む。デジタル放送受信機は、典型的には、携帯電話機に追加機能として付加されるワンセグ放送受信機であるが、これに限定されず、その他の携帯型又は車載型テレビジョン放送受信機や携帯型ゲーム機に付加されたりしてもよい。
【００３１】
低ノイズ増幅器は、アンテナからのＲＦ信号を増幅する。低ノイズ増幅器の具体例はＬＮＡ１２（図１及び図４）である。信号レベル検出手段は、選択ＲＦ信号に係る信号レベルを検出する。選択ＲＦ信号に係る信号レベルとは、ワンセグ放送受信機１０，２６では、チューナ部１６においてＲＦ信号を増幅する増幅器に対するＡＧＣレベルであるが、これに限定されず、ＩＦ信号を増幅する増幅器に対するＡＧＣレベルであってもよいし、信号レベルがＲＦ信号の信号レベルに対して所定関係をもつ信号であれば、ＡＧＣレベル以外の信号やＲＦ信号自体であってもよい。
【００３２】
Ｃ／Ｎ値検出手段は、選択ＲＦ信号に係るＣ／Ｎ値を検出する。ワンセグ放送受信機１０，２６では、チューナ部１６がＣ／Ｎ値検出手段の役割を担っている。作動制御手段は、選択ＲＦ信号に係る信号レベルが第１の信号レベル用閾値以下でかつ選択ＲＦ信号に係るＣ／Ｎ値が第１のＣ／Ｎ値用閾値以下になると、低ノイズ増幅器が作動停止状態であるならば、低ノイズ増幅器を作動状態へ切り替える。ワンセグ放送受信機１０，２６では、コントロール部１７及びＬＮＡ電源回路部１８が作動制御手段の役割を担っている。
【００３３】
作動制御手段による低ノイズ増幅器の作動状態及び作動停止状態の切替は、ワンセグ放送受信機１０，２６では、制御端子２３からレギュレータ２２への給電実施及び給電停止により行っている。第１の信号レベル用閾値は、ワンセグ放送受信機１０，２６では、ＲＦ信号について図２のＡＧＣデータ値＝Ｂに対応する信号レベルである。また、第１のＣ／Ｎ値用閾値は、図２及び図３のＣ／Ｎ値＝Ｃである。
【００３４】
好ましくは、作動制御手段は、ＲＦ信号レベル換算で選択ＲＦ信号に係る信号レベルが第１の信号レベル用閾値より大きい第２の信号レベル用閾値以上になると、選択ＲＦ信号に係るＣ／Ｎ値に関係なく、低ノイズ増幅器が作動状態であるならば、低ノイズ増幅器を作動停止状態へ切り替える。第２の信号レベル用閾値は、ＲＦ信号について図２のＡＧＣデータ値＝Ａに対応する値である。なお、ＡＧＣデータ値の大きさと、選択ＲＦ信号に係る信号レベルの大きさとは相互に逆の関係があるので、ＡＧＣデータ値＝Ａ時の該ＡＧＣデータ値に対するＲＦ信号レベル換算値は、ＡＧＣデータ値＝Ｂ時の該ＡＧＣデータ値に対するＲＦ信号レベル換算値より大きい。
【００３５】
図５は低ノイズ増幅器用制御方法７０のフローチャートである。低ノイズ増幅器用制御方法７０は例えば一定時間経過ごとや一定距離移動ごとに実行される。Ｓ７１では、選択ＲＦ信号に係る信号レベルを検出する。Ｓ７２では、選択ＲＦ信号に係るＣ／Ｎ値を検出する。
【００３６】
Ｓ７３では、図２に示した関係に従って、選択ＲＦ信号に係る信号レベル及び選択ＲＦ信号に係るＣ／Ｎ値それぞれについて閾値に対する判定をする。選択ＲＦ信号に係る信号レベルが第１の信号レベル用閾値より小さく且つ選択ＲＦ信号に係るＣ／Ｎ値が第１のＣ／Ｎ値用閾値以下であるか否かを判定し、判定が正であれば、Ｓ７７へ進む。また、選択ＲＦ信号に係る信号レベルが第１の信号レベル用閾値より大きい第２の信号レベル用閾値より大きいか否かを判定し、判定が正であれば、（選択ＲＦ信号に係るＣ／Ｎ値に関係なく、）Ｓ８３へ進む。また、選択ＲＦ信号に係る信号レベルが第１の信号レベル用閾値以上且つ第２の信号レベル用閾値以下であるか否かを判定し、判定が正であれば、（選択ＲＦ信号に係るＣ／Ｎ値に関係なく、）低ノイズ増幅器用制御方法７０に係る処理を終了する。
【００３７】
Ｓ７７では、低ノイズ増幅器が現在、作動停止状態にあるか作動状態にあるかを判定する。作動停止状態にある場合には、Ｓ７８へ進み、作動状態にある場合は、低ノイズ増幅器用制御方法７０に係る処理を終了する。Ｓ７８では、低ノイズ増幅器を作動状態へ切り替える。
【００３８】
Ｓ８３では、低ノイズ増幅器が現在、作動停止状態にあるか作動状態にあるかを判定する。作動状態にある場合には、Ｓ８４へ進み、作動停止状態にある場合は、低ノイズ増幅器用制御方法７０に係る処理を終了する。Ｓ８４では、低ノイズ増幅器を作動停止状態へ切り替える。
【００３９】
本発明を各種具体的形態について説明したが、本発明は、これに限定されるものではなく、発明の要旨を逸脱しない範囲で、各種具体的形態における各構成要素を変形（削除も含む。）して具体化できる。また、各種具体的形態間において、構成要素を置換したり、各種具体的形態の複数の構成要素を組み合わせたりすることにより、種々の発明を形成することもできる。
【図面の簡単な説明】
【００４０】
【図１】ワンセグ放送受信機の概略構成図である。
【図２】選択ＲＦ信号のＡＧＣデータ値及びＣ／Ｎ値とＬＮＡの電源のオン、オフとの関係を示す図である。
【図３】ＲＦ信号のＡＧＣデータ値及びＣ／Ｎ値の変化例に対するＬＮＡの電源のオン、オフの変化を示す図である。
【図４】別のワンセグ放送受信機の構成図である。
【図５】低ノイズ増幅器用制御方法のフローチャートである。
【符号の説明】
【００４１】
１０：ワンセグ放送受信機（デジタル放送受信機）、１２：ＬＮＡ（低ノイズ増幅器）、１６：チューナ部（信号レベル検出手段、ＡＧＣレベル検出手段）、１７：コントロール部（作動制御手段）、１８：ＬＮＡ電源回路部（作動制御手段）、２６：ワンセグ放送受信機（デジタル放送受信機）、２８：スイッチ回路（作動制御手段）、７０：低ノイズ増幅器用制御方法。
【図１】
2008109533.tif 000003
【図２】
2008109533.tif 000004
【図３】
2008109533.tif 000005
【図４】
2008109533.tif 000006
【図５】
2008109533.tif 000007